(57)【要約】      （修正有）【課題】医療機関における管理負担を軽減するノーズクリップを提供する。【解決手段】ユーザが操作するための摘み部と、鼻孔に当たる当接部を駆動するアーム部とを、閉じる方向にアーム部を常時付勢するループ板バネ部によって一体成形する。アーム部の先端に取り付けられる当接部については、鼻孔に当たるノーズパッド当接面４１Ａをアーム部に直交する平坦面によって構成する。ノーズパッド当接面４１Ａには複数の溝４１aを平行に所定のピッチＰで形成する。各溝４１ａの溝山４１ａＵ及び溝谷４１ａＬを所定の曲率半径で円弧状にそれぞれ形成する。また、各溝４１ａの溝山４１ａＵ及び溝谷４１ａＬのうち、少なくとも溝山４１ａＵについてしぼ加工（粗面化処理）を施す。【選択図】図５
2019187544.tif 000002
【特許請求の範囲】
【請求項１】
指で操作するための摘み部（１０）と、閉状態で前記摘み部（１０）によって開駆動される挟持部（２０）と、前記挟持部（２０）を閉方向に付勢するバネ部（３０）と、前記挟持部（２０）の先端に取り付けられる当接部（４０）とを備えたノーズクリップ（１００）であって、
前記当接部（４０）は、対象物に当接する当接面（４１Ａ）に複数の溝（４１ａ、４１ｂ）を有することを特徴とするノーズクリップ。
【請求項２】
請求項１に記載のノーズクリップ（１００）において、
前記当接面（４１Ａ）は、前記挟持部（２０）に直交する平坦面（４１Ａ）を有し、前記溝（４１ａ、４１ｂ）は当該平坦面（４１Ａ）に形成されていることを特徴とするノーズクリップ。
【請求項３】
請求項１又は２に記載のノーズクリップ（１００）において、
前記溝（４１ａ）の山（４１ａＵ）及び谷（４１ａＬ）は円弧状（Ｒ５）に成形されていることを特徴とするノーズクリップ。
【請求項４】
請求項１又は２に記載のノーズクリップ（１００）において、
前記溝（４１ｂ）の山（４１ｂＵ）及び谷（４１ｂＬ）は突起状に成形されていることを特徴とするノーズクリップ。
【請求項５】
請求項１から４の何れか１項に記載のノーズクリップ（１００）において、
前記溝（４１ａ、４１ｂ）は互いに平行に形成されていることを特徴とするノーズクリップ。
【請求項６】
請求項１から５の何れか１項に記載のノーズクリップ（１００）において、
前記溝（４１ａ、４１ｂ）は直線状に形成されていることを特徴とするノーズクリップ。
【請求項７】
請求項１から６の何れか１項に記載のノーズクリップ（１００）において、
前記溝（４１ａ、４１ｂ）は折れ線状に形成されていることを特徴とするノーズクリップ。
【請求項８】
請求項１から７の何れか１項に記載のノーズクリップ（１００）において、
前記溝（４１ａ、４１ｂ）は曲線状に形成されていることを特徴とするノーズクリップ。
【請求項９】
請求項１から８の何れか１項に記載のノーズクリップ（１００）は、
前記溝（４１ａ、４１ｂ）を含む一体成形品であることを特徴とするノーズクリップ。
【請求項１０】
請求項１から９の何れか１項に記載のノーズクリップ（１００）において、
前記溝（４１ａ、４１ｂ）の山（４１ａＵ、４１ｂＵ）及び谷（４１ａＬ、４１ｂＬ）のうち、少なくとも当該山（４１ａＵ、４１ｂＵ）の表面については粗面化処理が施されていることを特徴とするノーズクリップ。
【発明の詳細な説明】
【技術分野】
【０００１】
本発明は、呼吸機能検査時に使用するノーズクリップに関する。
【背景技術】
【０００２】
呼吸器疾患の診断や治療のために、被験者の呼吸機能を検査する呼吸機能検査装置がある。この呼吸機能検査装置で被験者の呼吸機能を検査する時には、正確な測定値を得るために、ノーズクリップで被験者の鼻を挟持し、鼻孔から息が漏れないようにしている。通常、ノーズクリップは、指で操作する一対の摘み片と、先端にノーズパッドを有する開閉可能な一対のアーム片と、一対のアーム片を常時付勢するバネ部とがプラスチック射出成形等によって一体化されて構成されている。ノーズパッドの当接部は、例えば円柱面等の完全平坦面によって構成されている（特許文献１を参照。）。
【０００３】
通常、ノーズクリップは１回限りの使い捨てではなく、消毒等の滅菌処理後に繰り返し使用される。ノーズパッドの当接部が被験者の鼻に直接触れることは、衛生上好ましくない。そのため、ノーズパッドの当接部は保護カバー（被覆材）等によって被覆された状態で使用される。また、被覆材はコットン等の繊維材で作られている。そのため、被覆材は、被験者の汗・皮脂等を吸収するという機能の他に、ノーズクリップの滑り防止という機能も有している。
【先行技術文献】
【特許文献】
【０００４】
【特許文献１】特開２０１７−１７６３３９号公報
【発明の概要】
【発明が解決しようとする課題】
【０００５】
医療機関においては、ノーズクリップを使用する毎に、保護カバーの取り替えのみならずノーズクリップ自体の消毒等を行わなければならないため、そのための管理負担が問題となっていた。
【０００６】
被験者の鼻孔を含む部位（以下「鼻孔」と言う。）は、内側に窪んだ凹部を含む形状である。そのため、ノーズパッドの当接部全体が平坦面の場合、ノーズパッドの当接部が鼻孔の凹部に嵌合することができない。その結果、ノーズパッドの当接部と被験者の鼻孔との間に滑り止めとなる被覆材を介さなければならず、被覆材を使用しなければ被験者の鼻孔を適切に封止することが出来ないという問題点があった。
【０００７】
本願発明者は図８（ａ）に示されるように、ノーズパッドの当接部を、外側に膨らんだ凸面によって構成した。しかしながら、被覆材を用いない場合、ノーズパッドの当接部の凸面が鼻孔を過度に圧迫し被験者が痛みを伴う場合があった。更に、凸面により接触面積が減少しノーズパッドの当接部が被験者の鼻から滑り易くなるという問題があった。
【０００８】
次に、本願発明者は図８（ｂ）に示されるように、凸面の一部を平坦面に形成することによってノーズパッドの当接部を構成した。しかしながら、図８（ａ）と同様に、ノーズパッドの当接部の半凸面が鼻孔を過度に圧迫する場合が依然としてあり、また、ノーズパッドの当接部が被験者の鼻から滑り易い問題も依然としてあった。
【０００９】
次に、本願発明者は図８（ｃ）に示されるように、図８（ｂ）に示される平坦面の範囲を拡大することによってノーズパッドの当接部を構成した。この場合、ノーズパッドの当接部が鼻孔を過度に圧迫しなくなった。しかしながら、鼻孔の凹部の大きさは被験者毎に微妙に異なっており、ノーズパッドの当接部が鼻孔の凹部に嵌らずに滑ることがあるため、鼻孔を完全に封止することができない場合があった。
【００１０】
そこで本発明は、医療機関における管理負担を軽減するノーズクリップを提供することを目的としている。
【課題を解決するための手段】
【００１１】
上記目的を達成するための本発明に係るノーズクリップは、指で操作するための摘み部（１０）と、通常は閉状態で前記摘み部（１０）によって開駆動される挟持部（２０）と、前記挟持部（２０）を閉方向に常時付勢するバネ部（３０）と、前記挟持部（２０）の先端に取り付けられる当接部（４０）とを備えたノーズクリップ（１００）であって、
前記当接部（４０）は、対象物に当接する当接面（４１Ａ）に複数の溝（４１ａ、４１ｂ）を有することを特徴とする。
【００１２】
本発明の第２の特徴は、前記当接面（４１Ａ）は、前記挟持部（２０）に直交する平坦面（４１Ａ）を有し、前記溝（４１ａ、４１ｂ）は当該平坦面（４１Ａ）に形成されていることである。
【００１３】
本発明の第３の特徴は、前記溝（４１ａ）の山（４１ａＵ）及び谷（４１ａＬ）は円弧状（Ｒ５）に成形されていることである。
【００１４】
本発明の第４の特徴は、前記溝（４１ｂ）の山（４１ｂＵ）及び谷（４１ｂＬ）は突起状に成形されていることである。
【００１５】
本発明の第５の特徴は、前記溝（４１ａ、４１ｂ）は互いに平行に形成されていることである。
【００１６】
本発明の第６の特徴は、前記溝（４１ａ、４１ｂ）は直線状に形成されていることである。
【００１７】
本発明の第７の特徴は、前記溝（４１ａ、４１ｂ）は折れ線状に形成されていることである。
【００１８】
本発明の第８の特徴は、前記溝（４１ａ、４１ｂ）は曲線状に形成されていることである。
【００１９】
本発明の第９の特徴は、前記溝（４１ａ、４１ｂ）を含む一体成形品であることである。
【００２０】
本発明の第１０の特徴は、前記溝（４１ａ、４１ｂ）の山（４１ａＵ、４１ｂＵ）及び谷（４１ａＬ、４１ｂＬ）のうち、少なくとも当該山（４１ａＵ、４１ｂＵ）の表面については粗面化処理が施されていることである。
【発明の効果】
【００２１】
本発明のノーズクリップによれば、当接部と被験者の鼻孔を含む部位との間に被覆材を介在させない場合でも、被験者の鼻孔を含む部位を過度に圧迫することなく鼻孔を適切に封止することができるようになるため、医療機関の管理負担を軽減することができる。
【図面の簡単な説明】
【００２２】
【図１】本発明の一実施形態に係るノーズクリップの斜視図である。
【図２】本発明の一実施形態に係るノーズクリップの正面図である。
【図３】本発明の一実施形態に係るノーズクリップの底面図である。
【図４】本発明の一実施形態に係るノーズクリップの右側面図である。
【図５】図２のＡ部拡大図である。
【図６】図５のＢ矢視図である。
【図７】ノーズパッドの当接面に形成される溝の変形例を示す説明図である。
【図８】従来のノーズパッドの当接部を示す説明図である。
【発明を実施するための形態】
【００２３】
被験者の鼻孔を含む部位（以下「鼻孔」と言う。）は、内側に窪んだ凹部を含む形状である。そのため、ノーズパッドの当接部全体が平坦面の場合、ノーズパッドの当接部が鼻孔の凹部に嵌合することができない。その結果、ノーズパッドの当接部と被験者の鼻孔との間に滑り止めとなる被覆材を介さなければならず、被覆材を使用しなければ被験者の鼻孔を適切に封止することが出来ないという問題点があった。
【００２４】
本願発明者は図８（ａ）に示されるように、ノーズパッドの当接部を、外側に膨らんだ凸面によって構成した。しかしながら、被覆材を用いない場合、ノーズパッドの当接部の凸面が鼻孔を過度に圧迫し被験者が痛みを伴う場合があった。更に、凸面により接触面積が減少しノーズパッドの当接部が被験者の鼻から滑り易くなるという問題があった。
【００２５】
次に、本願発明者は図８（ｂ）に示されるように、凸面の一部を平坦面に形成することによってノーズパッドの当接部を構成した。しかしながら、図８（ａ）と同様に、ノーズパッドの当接部の半凸面が鼻孔を過度に圧迫する場合が依然としてあり、また、ノーズパッドの当接部が被験者の鼻から滑り易い問題も依然としてあった。
【００２６】
次に、本願発明者は図８（ｃ）に示されるように、図８（ｂ）に示される平坦面の範囲を拡大することによってノーズパッドの当接部を構成した。この場合、ノーズパッドの当接部が鼻孔を過度に圧迫しなくなった。しかしながら、鼻孔の凹部の大きさは被験者毎に微妙に異なっており、ノーズパッドの当接部が鼻孔の凹部に嵌らずに滑ることがあるため、鼻孔を完全に封止することができない場合があった。
【００２７】
以下の実施形態に示したノーズクリップにより、ノーズパッドの当接部と鼻孔との間に被覆材を介在させない場合であっても、被験者の鼻孔を過度に圧迫することなく鼻孔を適切に封止することができる。
【００２８】
以下、添付図面を参照して本発明の実施形態を詳細に説明する。
【００２９】
図１から図４は、本発明の一実施形態に係るノーズクリップ１００を示す説明図である。なお、図１、図２、図３及び図４は、ノーズクリップ１００の斜視図、正面図、底面図及び右側面図をそれぞれ表している。このノーズクリップ１００はプラスチック射出成型品であり、ユーザが指先で操作するための摘み部１０と、通常は閉じた状態にあり、摘み部１０によって開駆動されるアーム部２０と、閉じる方向にアーム部２０を常時付勢するループ板バネ部３０と、アーム部２０の先端に取り付けられ被験者の鼻孔に当接する当接部４０とを具備して構成される。以下、各構成について説明する。
【００３０】
図２及び図４に示されるように、摘み部１０は、左右一対の板状の摘み片１１,１１から構成されている。摘み片１１は、板厚ｔ１、幅Ｄおよび曲率半径Ｒ１で円弧状（Ｒ状）に成形されている。摘み片１１の先端部１２は、ユーザが摘み片１１,１１を開操作し易くなるようにフック状に成形されている。摘み片１１の先端部１２以外の他端部は、アーム部２０及びループ板バネ部３０に滑らかに一体成形されている。
【００３１】
図２及び図４に示されるように、アーム部２０は、左右一対の板状のアーム片２１,２１と、アーム片２１を補強するリブ片２２,２２とから構成されている。アーム片２１は、板厚ｔ２、幅Ｄおよび曲率半径Ｒ２で円弧状（Ｒ状）に成形されたベース板である。リブ片２２はアーム片２１の内周面に直交して成形された補強板である。なお、リブ片２２はアーム片２１の内周面から所定の高さｈで成形されている。アーム片２１及びリブ片２２の各両端部は、摘み部１０及びループ板バネ部３０に滑らかに一体成形されている。
【００３２】
図２及び図３に示されるように、ループ板バネ部３０は、板厚ｔ３、幅Ｄおよび曲率半径Ｒ２で円弧状（Ｒ状）に成形されている。なお、円弧の範囲は中心角において１８０°を超える範囲である。また、ループ板バネ部３０の両端部は、摘み片１１、アーム片２１及びリブ片２２に滑らかに一体成形されている。
【００３３】
当接部４０は、左右一対のノーズパット４１から構成されている。ノーズパッド４１は円柱体の縁部が周方向に沿って曲率半径Ｒ４で成形された形状を成している。ノーズパッド当接面４１Ａはアーム部２０に直交する平坦面である。なお、詳細については図５及び図６を参照しながら後述するが、ノーズパッド当接面４１Ａには紙面に直交する方向に沿って複数（本実施形態では５個）の溝４１ａが形成されている。
【００３４】
図５及び図６は、ノーズパッド当接面４１Ａを示す説明図である。図５は図２のＡ部拡大図である。図６は図５のＢ矢視図である。図５に示されるように、各溝４１aの断面形状は、曲率半径Ｒ５の円弧状の溝谷４１ａＬと同じく曲率半径Ｒ５の溝山４１ａＵが滑らかに接続した形状である。また、溝４１ａは所定のピッチＰで形成されている。
【００３５】
図６に示されるように、溝４１ａはアーム片２１又はリブ片２２に直交する方向に沿って直線状にノーズパッド当接面４１Ａ全体に形成されている。溝山４１ａＵが被験者の鼻孔の凹部に嵌合する。一方、溝谷４１ａＬは被験者の鼻孔の凸部に嵌合する。つまり、平坦面に形成されたノーズパッド当接面４１Ａが押し荷重を適度に分散させると共に、所定の円弧状に成形された溝山４１ａＵ及び溝谷４１ａＬが被験者の鼻孔の凹凸部に嵌合するようになる。これにより、ノーズパッド当接面４１Ａを被覆材（図示せず）で覆わずとも、被験者の鼻の表面とノーズパッド当接面４１Ａとがしっかり固定される。即ち、被験者の鼻の表面とノーズパッド当接面とが被験者の汗や皮脂等により滑ってしまいノーズパッドを被験者の鼻孔に固定できなくなることを防止できる。その結果、被覆材（図示せず）を用いずとも被験者の鼻孔はノーズパッド４１の当接面４１Ａによって好適に封止されるようになる。同時に、被験者の鼻孔はノーズパッド４１の当接面４１Ａによって過度に圧迫されなくなる。
【００３６】
また、このノーズクリップ１００は、合成樹脂により一体成形されたものあり、例えば、ポリアセタール（polyacetal）等のプラスチックを材料とする。このノーズクリップ１００は、溝山４１ａＵ及び溝谷４１ａＬを含んだ一体成形品であり、複数の部品を組み合わせたものではないため、極めて安価である。そのため、１回使用毎の使い捨てが可能である。医療機関では、呼吸機能検査を行う際に、ノーズクリップ１００を、被覆材を介在させず直接被験者の鼻に固定して、検査完了後には使用済みとなったノーズクリップ１００を廃棄するという運用が可能となる。これにより、医療機関における被覆材の交換作業やノーズパッドの消毒等が不要となり、管理負担が大幅に軽減されることになる。
【００３７】
また、溝山４１ａＵの表面については、ノーズパッド当接面４１Ａが被験者の鼻孔から滑りにくくなるように、サンドペーパー等によるしぼ加工（粗面化処理）が施されている。
【００３８】
なお、本実施形態のノーズクリップ１００を使用する際に、ノーズパッド４１の当接面４１Ａを被覆材（図示せず）で覆った状態で使用して、検査完了後にそのノーズクリップ１００を被覆材ごと廃棄するようにしても良い。
【００３９】
以上、図面を参照しながら、本発明に係るノーズクリップの一実施形態について説明してきたが、本発明は上記実施形態だけに限定されるものではない。すなわち、本発明の技術的範囲を逸脱しない範囲内において種々の変更・修正を加えることが可能である。例えば、図７に示されるように、ノーズパッド当接面４１Ａに形成される溝の形状については三角形状（突起形状、鋸歯形状）であっても良い。
【００４０】
また、溝山４１ａＵ,４１ｂＵ又は溝谷４１ａＬ,４１ｂＬの各稜線については、折れ線状または曲線状であっても良い。また、図８に示される各ノーズパッド当接面に対し複数の溝４１ａ又は溝４１ｂを所定のピッチＰで形成しても良い。また、しぼ加工（粗面化処理）については、溝山４１ａＵ,４１ｂＵ及び溝谷４１ａＬ,４１ｂＬの双方に対して施すようにしても良い。
【符号の説明】
【００４１】
１０            摘み部
１１            摘み片
１１ａ          先端部
２０            アーム部（挟持部）
２１            アーム片
２２            リブ片
３０            ループ板バネ部
４０            当接部
４１            ノーズパッド
４１Ａ          ノーズバッド当接面
４１ａ、４１ｂ  溝
４１ａＵ        溝山
４１ａＬ        溝谷
１００          ノーズクリップ
【図１】
2019187544.tif 000003
【図２】
2019187544.tif 000004
【図３】
2019187544.tif 000005
【図４】
2019187544.tif 000006
【図５】
2019187544.tif 000007
【図６】
2019187544.tif 000008
【図７】
2019187544.tif 000009
【図８】
2019187544.tif 000010